(57)【要約】      （修正有）【課題】幅広く様々な製品に使用することができる緩衝材を提供する。【解決手段】Ｈ状の主管と、主管の正面及び背面に形成されたＨ型挿入溝に挿入される挿入板とを組み合わせてなる。主管が外側面両側の凹溝と、外側面の内側面の中央部分が接続して形成された二層の中央面とを含み、両側に凹溝を具えてなる外側面と内側面とを接続して形成するか、二つの直立して接続した外側面の内側面が中央で接続して形成された二層の中央面には孔が設けられ、両側に凹溝を具えてなる外側面全体と内側面とを接続して形成する。挿入板が立体的な半円に欠けた面や弧状面等を具える。【選択図】図２
0003166318.tif 000002
【実用新案登録請求の範囲】
【請求項１】
Ｈ状の主管と、挿入板とを組み合わせてなり、
該Ｈ状の主管が、外側面両側に形成された凹溝と、外側面の内側面の中央部分が接続して形成された二層の中央面とを含んでなり、外側面全体と内側面とが互いに接続して形成されるか、
外側面の両側に形成された凹溝と、二つの直立して接続した外側面の内側面が中央で接続して形成された二層の中央面の適宜な位置に形成された孔とを含んでなり、外側面全体と内側面とを接続して形成し、
該挿入板が、一部半円のＵ字状に欠けた板か、立体的な半円のＵ字状に欠けた板か、立体的な半円と下方に弧状面を具えた板か、幅広い部分に立体的な半円と下方に弧状面を具えた板か、立体的な半円に欠けた面と、弧状面とを具えた板であって、
両側に形成されたＨ型挿入溝に上述の異なる形態の挿入板を挿入して組み合わせると、保護する製品を支持する支持空間が形成される構造からなることを特徴とする緩衝材。
【考案の詳細な説明】
【技術分野】
【０００１】
この考案は、緩衝材であって、特に製品を包装する場合に製品を外部の衝撃から保護するために使用する緩衝材に関する。
【背景技術】
【０００２】
市場では、ノートブック型コンピュータ、ＵＳＢメモリ、メモリカード、或いは携帯電話、精密機械の部品を含む電子機器、ガラス、陶器などの製品や、ＬＥＤ関連製品などはいずれも紙箱に入れて異なる形態の梱包材を外部からの衝撃を緩衝保護するために使用する。
【０００３】
該緩衝材料は環境を保護する材料からなる。
【０００４】
よって、緩衝材の紙材はデザインが主になり、市場では一般的にＵ字状の管体の両端に板を設け、Ｕ字状の管体のＵ字状の溝の両端上か、或いはＵ字状の管体の両端に直接挿入する。
【０００５】
しかしながら、梱包する製品のサイズによりその強度が弱まるため、保護しなければならない製品を保護することができない。
【考案の開示】
【考案が解決しようとする課題】
【０００６】
この考案は、幅広く様々な製品に使用することができる緩衝材を提供することを課題とする。
【課題を解決するための手段】
【０００７】
そこで、本考案者は従来の技術に見られる欠点に鑑みて鋭意研究を重ねた結果、Ｈ状の主管と、挿入板とを組み合わせてなり、
該Ｈ状の主管が、外側面両側に形成された凹溝と、外側面の内側面の中央部分が接続して形成された二層の中央面とを含んでなり、外側面全体と内側面とが互いに接続して形成されるか、
外側面の両側に形成された凹溝と、二つの直立して接続した外側面の内側面が中央で接続して形成された二層の中央面の適宜な位置に形成された孔とを含んでなり、外側面全体と内側面とが接続して形成され、
該挿入板が、一部半円のＵ字状に欠けた板か、立体的な半円のＵ字状に欠けた板か、立体的な半円と下方に弧状面を具えた板か、幅の広い立体的な半円と下方に弧状面を具えた板か、立体的な半円に欠けた面と、弧状面とを具えた板であって、
両側に形成されたＨ型挿入溝に上述の異なる形態の挿入板を挿入して組み合わせると、保護する製品を支持する支持空間が形成され、様々な電子機器、精密機械部品、陶器製品などに幅広く応用できる構造からなる緩衝材によって課題を解決できる点に着眼し、かかる知見に基づいて本考案を完成させた。
【０００８】
以下、この考案について具体的に説明する。
請求項１に記載する緩衝材は、Ｈ状の主管と、挿入板とを組み合わせてなり、
該Ｈ状の主管が、外側面両側に形成された凹溝と、外側面の内側面の中央部分が接続して形成された二層の中央面とを含んでなり、外側面全体と内側面とが互いに接続して形成されるか、
外側面の両側に形成された凹溝と、二つの直立して接続した外側面の内側面が中央で接続して形成された二層の中央面の適宜な位置に形成された孔とを含んでなり、外側面全体と内側面とが接続して形成され、
該挿入板が、一部半円のＵ字状に欠けた板か、立体的な半円のＵ字状に欠けた板か、立体的な半円と下方に弧状面を具えた板か、幅の広い立体的な半円と下方に弧状面を具えた板か、立体的な半円に欠けた面と、弧状面とを具えた板であって、
両側に形成されたＨ型挿入溝に上述の異なる形態の挿入板を挿入して組み合わせると、保護する製品を支持する支持空間が形成され、様々な電子機器、精密機械部品、陶器製品などに幅広く応用できる構造からなる。
【考案の効果】
【０００９】
この考案の緩衝材は、様々な製品に幅広く応用できて実用的であるという効果を有する。
【考案を実施するための最良の形態】
【００１０】
この考案は、幅広く様々な製品に使用することができる緩衝材であって、Ｈ状の主管と、挿入板とを組み合わせてなり、
該Ｈ状の主管が、外側面両側に形成された凹溝と、外側面の内側面の中央部分が接続して形成された二層の中央面とを含んでなり、外側面全体と内側面とが互いに接続して形成されるか、
外側面の両側に形成された凹溝と、二つの直立して接続した外側面の内側面が中央で接続して形成された二層の中央面の適宜な位置に形成された孔とを含んでなり、外側面全体と内側面とが接続して形成され、
該挿入板が、一部半円のＵ字状に欠けた板か、立体的な半円のＵ字状に欠けた板か、立体的な半円と下方に弧状面を具えた板か、幅の広い立体的な半円と下方に弧状面を具えた板か、立体的な半円に欠けた面と、弧状面とを具えた板であって、
両側に形成されたＨ型挿入溝に上述の異なる形態の挿入板を挿入して組み合わせると、保護する製品を支持する支持空間が形成され、様々な電子機器、精密機械部品、陶器製品などに幅広く応用できる構造からなる緩衝材の構造と特徴を詳述するために具体的な実施例を挙げ、図示を参照にして以下に説明する。
【実施例】
【００１１】
図１から図１８は、この考案の緩衝材を示したものである。
【００１２】
図面によれば、この考案の緩衝材は、Ｈ状の主管１、１’、２’と、挿入板２、３、４、５、６とを組み合わせてなる。
【００１３】
図１から図６は、該Ｈ状の主管１と二つの挿入板２とを組み合わせた状態を示したものである。
【００１４】
Ｈ状の主管１は、上方端縁外側面１２、１３が外側面１１と、下方端縁外側面１２’、１３’に接続する。
【００１５】
外側面の両側には凹溝１１１を形成する。
【００１６】
下方内側面１４２と上方内側面１４１は中央部分が接続して二層の中央面１４を形成し、外側面１１全体と上下方内側面１４１、１４２とが互いに接続してＨ状の主管１を形成する。
【００１７】
挿入板２は、一部が半円のＵ字状に欠けた板であって、Ｕ字状を呈する中央部分の上方に半円切欠面２１が形成される。
【００１８】
図２に開示するように、二つの挿入板２は挿入方向Ｐに従って両側からＨ型挿入溝Ｈ１に挿入し、図１に開示するような支持空間Ｖ１を形成する。
【００１９】
図７から図１２に開示するように、Ｈ状の主管１の一端に設ける一方の挿入板３は、一部が立体的な半円のＵ字状に欠けた挿入板であって、Ｕ型体３１と半円体３２とを組み合わせて形成する。
【００２０】
立体の半円体３２上面には孔３２１が設けられ、保護する製品を嵌合するために供し、挿入方向Ｐに従ってＨ型挿入溝Ｈ２内に挿入する。
【００２１】
他端は、図８に開示するように挿入板２を挿入方向Ｐに従ってＨ型挿入溝Ｈ２内に挿入すると、図７に開示するように支持空間Ｖ２が形成される。
【００２２】
図１３から図１８に開示するように、Ｈ状の主管１の一端の挿入板３は、立体的に半円が欠けたＵ字状の挿入板であって、Ｕ型体３１と立体の半円体３２とを接続して形成する。
【００２３】
立体の半円体３２の上面には孔３２１が形成され、保護する製品を嵌合するために供し、挿入方向Ｐに従ってＨ型挿入溝Ｈ３内に挿入する。
【００２４】
他端は、図１４に開示するように、挿入板３を挿入方向Ｐに従ってＨ型挿入溝Ｈ３内に挿入し、支持空間Ｖ３を形成する。
【００２５】
図１９から図２４に開示するように、Ｈ状の主管１’は、上方端縁外側面１’２、１’３が外側面１’１及び下方端縁外側面１’２’、１’３’に接続する。
【００２６】
外側面の両側には凹溝１’１１が形成される。
【００２７】
下方内側面１’４２と上方内側面１’４１は中央で接続して二層の中央面１４’を形成し、外側面１’１全体と上下方内側面１’４１、１’４２とが交互に接続してＨ状の主管１’を形成する。
【００２８】
この実施形態の挿入板４は、上方が立体の半円に形成され、下方が弧状に欠けた挿入板で、弧状体４２と立体の半円体４１とが接続する。
【００２９】
立体の半円体４１の上面には孔４１１が設けられ、保護する製品を嵌合ために供する。
【００３０】
図２０に開示するように、二つの挿入板４を両側から挿入方向Ｐに従ってＨ型挿入溝Ｈ４に挿入し、図１９に開示するように支持空間Ｖ４を形成する。
【００３１】
図２５から図３０に開示するように、Ｈ状の主管２’は、上方端縁外側面２’２、２’３が外側面２’１及び下方端縁外側面２’２’、２’３’ と連接し、外側面の両側に形成された凹溝２’１１と、下方内側面２’４２と上方内側面２’４１とが中央で連接して形成された二層の中央面２４’と、中央端縁部に形成された孔２’４３とを含んでなり、外側面２’１全体と上下方内側面２’４１、２’４２とが互いに接続してＨ状の主管２’を形成する。
【００３２】
また、挿入板５は、立体的に半円状に凹んだ部分を具えてなる挿入板で、弧状体５２と幅広い半円体５１とを組み合わせて形成する。
【００３３】
半円体５１の上面には孔５１１が形成され、保護する製品を嵌合するために供し、  図２６に開示するように、二つの挿入板５を両側から挿入方向Ｐに従ってＨ型挿入溝Ｈ５に挿入すると、図２５に開示する支持空間Ｖ５が形成される。
【００３４】
図３１から図３６に開示するように、Ｈ状の主管１’は、上方端縁外側面１’２、１’３が外側面１’１及び下方端縁外側面１’２’、１’３’ と連接し、外側面の両側に形成された凹溝１’１１と、下方内側面１’４２と上方内側面１’４１の中央に連接した二層の中央面１４’とを含んでなり、外側面１’１全体と上下方内側面１’４１、１’４２とが互いに接続してＨ状の主管２’を形成する。
【００３５】
また、挿入板６は、立体的に半円状に凹んだ面を具えてなる挿入板で、弧型体６２と半円体６１とを組み合わせて形成する。
【００３６】
半円体６１の上面には孔６１１が形成され、弧状体６２下方部には弧状面６２１が形成される。
【００３７】
図３２に開示するように、二つの挿入板６を両側から挿入方向Ｐに従ってＨ型挿入溝Ｈ６に挿入すると、図３１に開示する支持空間Ｖ６が形成される。    
【００３８】
以上は、この考案の好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案登録請求の範囲に属するものとする。
【図面の簡単な説明】
【００３９】
【図１】この考案の緩衝材を示した斜視図である。
【図２】この考案の緩衝材を示した分解図である。
【図３】図１に開示する緩衝材を底部から見た状態を示した平面図である。
【図４】図１に開示する緩衝材を側面から見た状態を示した平面図である。
【図５】この考案の緩衝材のＨ状の主体を底部から見た状態を示した平面図である。
【図６】この考案の緩衝材のＨ状の主体を側面から見た状態を示した平面図である。
【図７】この考案の緩衝材の他の実施形態を示した斜視図である。
【図８】この考案の緩衝材の他の実施形態を示した分解図である。
【図９】図７に開示する緩衝材を底部から見た状態を示した平面図である。
【図１０】図７に開示する緩衝材を側面から見た状態を示した平面図である。
【図１１】この考案の緩衝材の他のＨ状の主体を底部から見た状態を示した平面図である。
【図１２】この考案の緩衝材の他のＨ状の主体を側面から見た状態を示した平面図である。
【図１３】この考案の緩衝材のその他の実施形態を示した斜視図である。
【図１４】この考案の緩衝材のその他の実施形態を示した分解図である。
【図１５】図１３に開示する緩衝材を底部から見た状態を示した平面図である。
【図１６】図１３に開示する緩衝材を側面から見た状態を示した平面図である。
【図１７】この考案の緩衝材のその他のＨ状の主体を底部から見た状態を示した平面図である。
【図１８】この考案の緩衝材のその他のＨ状の主体を側面から見た状態を示した平面図である。
【図１９】この考案の緩衝材の別の実施形態を示した斜視図である。
【図２０】この考案の緩衝材の別の実施形態を示した分解図である。
【図２１】図１９に開示する緩衝材を底部から見た状態を示した平面図である。
【図２２】図１９に開示する緩衝材を側面から見た状態を示した平面図である。
【図２３】この考案の緩衝材の別のＨ状の主体を底部から見た状態を示した平面図である。
【図２４】この考案の緩衝材の別のＨ状の主体を側面から見た状態を示した平面図である。
【図２５】この考案の緩衝材のさらに別の実施形態を示した斜視図である。
【図２６】この考案の緩衝材のさらに別の実施形態を示した分解図である。
【図２７】図２５に開示する緩衝材を底部から見た状態を示した平面図である。
【図２８】図２５に開示する緩衝材を側面から見た状態を示した平面図である。
【図２９】この考案の緩衝材のさらに別のＨ状の主体を底部から見た状態を示した平面図である。
【図３０】この考案の緩衝材のさらに別のＨ状の主体を側面から見た状態を示した平面図である。
【図３１】この考案の緩衝材のさらにその他の実施形態を示した斜視図である。
【図３２】この考案の緩衝材のさらにその他の実施形態を示した分解図である。
【図３３】図３１に開示する緩衝材を底部から見た状態を示した平面図である。
【図３４】図３１に開示する緩衝材を側面から見た状態を示した平面図である。
【図３５】この考案の緩衝材のさらにその他のＨ状の主体を底部から見た状態を示した平面図である。
【図３６】この考案の緩衝材のさらにその他のＨ状の主体を側面から見た状態を示した平面図である。
【符号の説明】
【００４０】
１、１’、２’                    主管
１１、１’１、２’１             外側面
１１１、１’１１、２’１１       凹溝
１２、１３、１’２、１’３、２’２、２’３   上方端縁外側面
１２’、１３’、１’２’、１’３’、２’２’、２’３’ 下方端縁外側面
１４ 、１４’、２４’             中央面
１４１、１’４１、２’４１       上方内側面
１４２、１’４２、２’４２       下方内側面
２’４３                         孔
２、３、４、５、６               挿入板
２１                             半円切欠面
３１                             Ｕ型体
３２、４１、５１、６１           半円体
３２１、４１１、５１１、６１１    孔
４２、５２、６２                 弧状体
６２１                           弧状面
Ｈ１、Ｈ２、Ｈ３、Ｈ４、Ｈ５、Ｈ６  Ｈ型挿入溝
Ｐ 挿入方向
Ｖ１、Ｖ２、Ｖ３、Ｖ４、Ｖ５、Ｖ６   支持空間
【図１】
0003166318.tif 000003
【図２】
0003166318.tif 000004
【図３】
0003166318.tif 000005
【図４】
0003166318.tif 000006
【図５】
0003166318.tif 000007
【図６】
0003166318.tif 000008
【図７】
0003166318.tif 000009
【図８】
0003166318.tif 000010
【図９】
0003166318.tif 000011
【図１０】
0003166318.tif 000012
【図１１】
0003166318.tif 000013
【図１２】
0003166318.tif 000014
【図１３】
0003166318.tif 000015
【図１４】
0003166318.tif 000016
【図１５】
0003166318.tif 000017
【図１６】
0003166318.tif 000018
【図１７】
0003166318.tif 000019
【図１８】
0003166318.tif 000020
【図１９】
0003166318.tif 000021
【図２０】
0003166318.tif 000022
【図２１】
0003166318.tif 000023
【図２２】
0003166318.tif 000024
【図２３】
0003166318.tif 000025
【図２４】
0003166318.tif 000026
【図２５】
0003166318.tif 000027
【図２６】
0003166318.tif 000028
【図２７】
0003166318.tif 000029
【図２８】
0003166318.tif 000030
【図２９】
0003166318.tif 000031
【図３０】
0003166318.tif 000032
【図３１】
0003166318.tif 000033
【図３２】
0003166318.tif 000034
【図３３】
0003166318.tif 000035
【図３４】
0003166318.tif 000036
【図３５】
0003166318.tif 000037
【図３６】
0003166318.tif 000038
【手続補正書】
【提出日】平成22年12月21日(2010.12.21)
【手続補正１】
【補正対象書類名】実用新案登録請求の範囲
【補正対象項目名】請求項１
【補正方法】変更
【補正の内容】
【請求項１】
Ｈ状の主管と、前記Ｈ状の主管の正面及び背面に形成されたＨ型挿入溝に挿入される挿入板と、を組み合わせてなり、
該Ｈ状の主管が、外側面両側に形成された凹溝と、外側面の内側面の中央部分が接続して形成された二層の中央面とを含んでなり、外側面全体と内側面とが互いに接続して形成されるか、
外側面の両側に形成された凹溝と、二つの直立して接続した外側面の内側面が中央で接続して形成された二層の中央面の適宜な位置に形成された孔とを含んでなり、外側面全体と内側面とを接続して形成し、
該挿入板が、一部半円のＵ字状に欠けた板か、立体的な半円のＵ字状に欠けた板か、立体的な半円と下方に弧状面を具えた板か、幅広い部分に立体的な半円と下方に弧状面を具えた板か、立体的な半円に欠けた面と、弧状面とを具えた板であって、
前記Ｈ型挿入溝に上述の異なる形態の挿入板を挿入して組み合わせると、保護する製品を支持する支持空間が形成され、様々な電子機器、精密機械部品、陶器製品などに幅広く応用できる構造からなることを特徴とする緩衝材。